(57)【要約】【課題】ラットに取付けた血液採取チューブの絡まりやラットに噛み切られるのを防止し、覚醒状態のラットをノンストレスの状態で血液を採取できる血液採取装置を提供する。【解決手段】滑車３１の滑車支持部材３２は、糸線等の線状部材３４によって滑車吊具４１に吊るしてある。シリコンチューブ１２は、滑車３１に巻き、一端をマウスに取付けたカテーテルの端部１１に接続し、他端の血液採取用端部１２１を血管クレンメ１２１により塞いである。血管クレンメ２１には、重り２２を取付けてシリコンチューブ１２に常に一定の張力を付与している。したがってシリコンチューブ１２は、ラットが飼育容器内を動き回っても弛むことがない。血液採取のときは、血管クレンメ２１を外し、注射器の針をシリコンチューブ１２の血液採取用端部１２１に挿入して行う。【選択図】　　　　　　　　図１
2004041389.tif 000002
【特許請求の範囲】
【請求項１】
一端を動物に取付けたカテーテルに接続でき他端の血液採取用端部を閉鎖手段によって塞ぐことができる血液採取用チューブ、その血液採取用チューブを巻く滑車、その滑車を支持する滑車支持部材、及び前記血液採取用チューブの血液採取用端部側に取付ける重りからなる血液採取装置。
【請求項２】
一端を動物に取付けたカテーテルに接続でき他端の血液採取用端部を閉鎖手段によって塞ぐことができる血液採取用チューブ、その血液採取用チューブを巻く滑車、その滑車を支持する滑車支持部材、前記血液採取用チューブの血液採取用端部側に取付ける重り、滑車吊具、及びその滑車吊具を取付ける飼育容器からなる血液採取装置。
【発明の詳細な説明】
【０００１】
【発明の属する技術分野】
本願発明は、ラット等の動物の血液を採取したり、動物の血管へ薬液を注入したりする際に使用する血液採取装置に関する。
【０００２】
【従来の技術】
図６を参照して従来の血液採取装置を説明する。
まず図６（ａ）について説明する。
動物実験等において、所定時間毎にラット等の血液を採取したり、ラット等の血管へ薬液を注入したりする作業を容易にするため、カテーテルを外頚静脈等に挿入し、頚部の皮膚の下を通してカテーテルの端部Ｔ１を後頭部に取り出して、常時カテーテルをラット等の体内に取付けてある。この際カテーテルには、プラスチックのプレートを取付け、そのプレートを頚部の皮膚の下に埋め込みカテーテルを固定してある。カテーテルの端部Ｔ１は、通常は栓Ｓ１により塞いである。
血液を採取するとき、或いは薬液を注入するときは、カテーテルの端部Ｔ１の栓Ｓ１を外して、その端部Ｔ１に注射器の針を挿入して作業する。
【０００３】
図６（ｂ）は、カテーテルの端部Ｔ１に管状のコネクタＣを取付け、そのコネクタＣにシリコンチューブＴ２を取付けてある。シリコンチューブＴ２の端部は、血管クレンメ（クリップ）Ｓ２で挟み塞いである。血液採取等のときは、血管クレンメＳ２を外して、シリコンチューブＴ２の端部に注射器の針を挿入して作業する。
【０００４】
【発明が解決しようとする課題】
図６（ａ）の場合、ラット等は、深い飼育容器の中にいるため、カテーテルの端部Ｔ１に注射器の針を挿入して、血液採取等の作業を行うことは容易でない。またラット等は、飼育容器内を動き回るためその作業は一層難しくなる。
図６（ｂ）の場合、カテーテルの端部Ｔ１にシリコンチューブＴ２を接続してあるから、血液採取等の作業は、図６（ａ）の場合より容易になるが、飼育容器の外で血液採取等の作業を行うには、シリコンチューブＴ２を長くしなければならない。シリコンチューブＴ２は、あまり長いと、ラット等が飼育容器内を動き回るとき絡まったり、或いはラット等に噛み切られたりする。
また従来の血液採取装置は、覚醒状態におけるラット等をノンストレスの状態で血液を採取することが難しいため、それらの状態における血液成分の分析が困難であった。
本願発明は、これらの点に鑑み、長いシリコンチューブＴ２が絡まったり、ラット等に噛み切られたりすることなく、かつ覚醒状態におけるラット等をノンストレスの状態で血液を採取できる、血液採取装置を提供することを目的とする。
【０００５】
【課題を解決するための手段】
本願発明の血液採取装置は、一端を動物に取付けたカテーテルに接続でき他端の血液採取用端部を閉鎖手段によって塞ぐことができる血液採取用チューブ、その血液採取用チューブを巻く滑車、その滑車を支持する滑車支持部材、及び前記血液採取用チューブの血液採取用端部側に取付ける重りからなる。
本願発明の血液採取装置は、一端を動物に取付けたカテーテルに接続でき他端の血液採取用端部を閉鎖手段によって塞ぐことができる血液採取用チューブ、その血液採取用チューブを巻く滑車、その滑車を支持する滑車支持部材、前記血液採取用チューブの血液採取用端部側に取付ける重り、滑車吊具、及びその滑車吊具を取付ける飼育容器からなる。
【０００６】
【発明の実施の形態】
図１〜５図により本願発明の実施の形態に係る血液採取装置を説明する。なお共通の部分は同じ符号を使用している。
本願発明の実施の形態に係る血液採取装置は、血管に薬液を注入する薬液注入装置としての機能も有するが、ここでは血液の採取を例に説明する。
【０００７】
図１は、本願発明の実施の形態に係る血液採取装置をラットに取付けた状態を示す。図１（ｂ）は、図１（ａ）のＹ方向の図である。
なおラットは、飼育容器内に入れてあるが、飼育容器は省略してある。
図１において、１１はカテーテルの端部、１２は血液採取用のシリコンチューブ、１２１はシリコンチューブ１２の血液採取用端部、１３は管状のコネクタ、２１は血管クレンメ（クリップ）、２２は重り、３１は滑車、３２は滑車３１を支持する滑車支持部材、３４は糸等の線状部材、３３は線状部材３４を取付けるリング状の取付部、３５は滑車吊部材、３５１は線状部材３４を取付けるリング状の取付部、４１は滑車吊具である。
【０００８】
滑車支持部材３２は、線状部材３４によって滑車吊部材３５に取付けてある。線状部材３４は、一端を取付部３３に取付け、他端を取付部３５１に取付けてある。滑車吊部材３５は、例えば取付部３５１を有するねじでよく、滑車吊具４１が木製の場合には、木ねじを使用することもできる。滑車支持部材３２の高さは、線状部材３４の長さを変えて調節する。
【０００９】
シリコンチューブ１２は、滑車３１に半回巻き、一方の端部をコネクタ１３に接続し、他方の血液採取用端部１２１を血管クレンメ２１で塞いである。血管クレンメ２１には、重り２２を取付け、シリコンチューブ１２に常に所定の張力を付与している。血液採取のときは、血管クレンメ２１を外し、シリコンチューブ１２の血液採取用端部１２１に注射器の針を挿入して行う。血液採取用端部１２１は、ラットの飼育容器の外に配置できるから、血液採取作業が容易になる。
【００１０】
飼育容器内でラットが移動すると、シリコンチューブ１２のコネクタ１３と滑車３１の間の長さが変わる。例えばその長さが短くなると滑車３１が回って重り２２が下降し、逆に長くなると重り２２が上昇する。このようにシリコンチューブ１２のコネクタ１３と滑車３１の間の長さが変わると、その長さの変化に対応して重り２２が上下するから、シリコンチューブ１２には弛みが生じない。またラットが飼育容器内を動き回った場合、滑車支持部材３２は、線状部材３４とともに回転するから、シリコンチューブ１２が捩れることもない。
重り２２は、容器を用い、その容器内の金属球等の個数を変えることにより、重さを調節することもできる。
【００１１】
本実施の形態は、外径１ｍｍ、内径０．５ｍｍ、長さ約４００ｍｍのシリコンチューブ１２と長さ約３５０ｍｍの糸３４を用い、重りの重さは、血管クレンメ２１を含めて約４ｇに設定した。またラットの飼育容器は、直径約２４０ｍｍ、深さ約３３０ｍｍのものを用いた。ラットが飼育容器内を動き回っても、シリコンチューブ１２は、弛みが生じたり、捩れたりすることはなかった。
本実施の形態は、血管クレンメ２１に重り２２を取付けたが、重り２２の取付部材を別途設けてもよい。
【００１２】
図２は、図１の滑車吊部材の別の構成例を示す。
まず図２（ａ）について説明する。
取付板３５３は、その内部に回転自在の球体３５２を備え、その球体３５２は、取付部３５１と一体に形成してある。取付板３５３は、滑車吊具４１に取付けてある。ラットが動き回ると、線状部材３４も回転するから、取付部３５１を固定してある場合には、線状部材３４が捩れることがある。これに対して図２（ａ）の場合には、球体３５２が線状部材３４とともに回転するから、線状部材３４は、捩れることがない。この場合、線状部材３４は省略してもよく、省略したときは、滑車吊具４１の高さを調節して滑車３１の高さを調節する。なお球体３５２は、取付板３５３の開口部（或いは切り溝）を開くようにして押し込むか、或いは取付板３５３を２分割できる構造にして取付板３５３の内部に取付ける。
【００１３】
次に図２（ｂ）について説明する。
取付板３５３は、軸３５４を備え、その軸３５４に回転アーム３５５を取付けてある。回転アーム３５５は、線状部材３４の取付部３５１を備えている。ラットが動き回ると、回転アーム３５５も回転する。回転アーム３５５が回転すると、線状部材３４の取付部３５１の位置が変わり、滑車支持部材３２の位置も変わる。したがって図２（ｂ）の場合には、滑車支持部材３２を広い範囲に移動することができ、大きな飼育容器に適している。
【００１４】
図３は、レールを用いた滑車吊部材とシリコンチューブの外れ防止手段を設けた滑車支持部材を示す。
まず図３（ａ）、（ｂ）について説明する。図３（ｂ）は、図３（ａ）のＸ−Ｘ部分の断面図である。
レール３５７は、その内部を摺動する摺動部材３５６を備えている。摺動部材３５６は、その内部に球体３５２を備え、球体３５２は、摺動部材３５６内において回転できる。摺動部材３５６は、滑車支持部材３２を吊るした状態で、レール３５７の長手方向へ移動できる。したがって滑車支持部材３２は、飼育容器が細長い場合にも飼育容器に沿って移動することができる。
【００１５】
次に図３（ｃ）について説明する。
滑車支持部材３２に、支点３７を中心に回動するアーム３６を取付けてある。アーム３６は、通常は図３（ｃ）の位置にしてシリコンチューブ１２が滑車３１から外れるのを防止する。なお３８は、アーム３６の保持部である。
【００１６】
図４は、本願発明の実施の形態に係る滑車吊具を備えた血液採取装置を取付けたラットの飼育容器を示す。
滑車吊具５０は、飼育容器６１に取付けてある。滑車支持部材３２は、滑車吊具５０のアーム５１のリング状の取付部３５１に吊るしてある。滑車吊具５０は、二股部５５を飼育容器６１の縁にはめ、ねじ５６により固定してある。アーム５１は、摺動部５２に取付け、摺動部５２は、管部５３内を上下に摺動できるように構成してある。アーム５１は、摺動部５２を上下に摺動させて所定の高さに調節し、ねじ５４によってその位置に保持する。
【００１７】
なお６２は給水用容器（ビン等）、６３は給水用管、６４は回転台である。
図４は、滑車支持部材３２を吊るす滑車吊具５０を飼育容器６１に取付けてあるから、飼育容器６１と滑車支持部材３２を一緒に移動でき、ラットの管理が容易になる。また飼育容器６１は、回転台６４に取付けてあるから、飼育容器６１を回転してシリコンチューブ１２の血液採取用端部１２１を、血液採取作業がし易い位置へ移動することができる。
飼育容器６１に透明材料を用いると、飼育容器６１の外からラットの状況を把握するとができ、ラットの管理が容易になる。
【００１８】
図５は、本願発明の実施の形態に係る２本のシリコンチューブを備えた血液採取装置をラットに取付けた状態を示す。
図５の場合には、２本のカテーテルと２本のシリコンチューブを用いている。カテーテルの端部１１ａとシリコンチューブ１２ａは、血管から血液を取り出してポンプ１４へ送り、シリコンチューブ１２ｂとカテーテルの端部１１ｂは、ポンプ１４から血液を血管へ戻す、或いは血管へ薬液を注入する。血液の採取は、シリコンチューブ１２ａの血液採取用端部１２１の血管クレンメ２１を外し、その端部１２１へ注射器の針を挿入して行う。
【００１９】
図５の場合には、重り２２を取付けた滑車２３を滑車３１とポンプ１４の間に配置して、２本のシリコンチューブ１２ａ，１２ｂに所定の張力を付与している。滑車２３は、シリコンチューブ１２ａの血液採取用端部１２１側に位置するから、図１等と同様にシリコンチューブ１２ａ，１２ｂの弛みを防止できる。
【００２０】
前記実施の形態は、血液採取装置によりラットの血液を採取する例について説明したが、前記したように薬液注入装置の機能も有するから、本願発明は、薬液注入装置も含めて血液採取装置と呼ぶ。
【００２１】
前記実施の形態は、血液採取用チューブとしてシリコンチューブの例を説明したが、シリコンチューブに限らずプラスチック等のフレキシブルチューブであればよい。またラットの血液採取例を説明したが、ラット以外の動物であってもよい。
前記実施の形態は、シリコンチューブを血管クレンメにより塞ぐ例を説明したが、血管クレンメ以外の閉鎖手段でもよい。
【００２２】
【発明の効果】
本願発明の血液採取装置は、滑車と重りによって血液採取用チューブに常に所定の張力を付与できるから、ラット等が動き回っても、血液採取用チューブに弛みが生じない。したがって血液採取用チューブは、ラット等が動き回っても、絡み合ったり、ラット等に噛み切られたりすることがない。
【００２３】
本願発明の血液採取装置は、覚醒状態にあるラット等をノンストレスの状態で血液を採取でき、それらの状態に置かれたラットの血液の成分を分析することができる。かつ本願発明の血液採取装置は、長時間の実験が可能になる。
本願発明の血液採取装置は、ラット等の飼育容器に滑車吊具を取付けて使用できるから、滑車支持部材と飼育容器を一緒に移動することができ、ラット等の管理が容易になる。
【００２４】
本願発明の血液採取装置は、ラット等の飼育容器を多数隣接して並べても各飼育容器の血液採取用チューブが絡み合うことがないから、狭いスペースで多数のラット等を効率的に管理でき、血液採取等の作業を効率よく行うことができる。
【図面の簡単な説明】
【図１】本願発明の実施の形態に係る血液採取装置を、ラットに取付けた状態を示す。
【図２】図１の滑車吊部材の別の構成例を示す。
【図３】レールを用いた滑車吊部材とシリコンチューブの外れ防止手段を設けた滑車支持部材を示す。
【図４】本願発明の実施の形態に係る滑車吊具を備えた血液採取装置を取付けたラットの飼育容器を示す。
【図５】本願発明の実施の形態に係る２本のシリコンチューブを備えた血液採取装置をラットに取付けた状態を示す。
【図６】従来の血液採取装置をラットに取付けた状態を示す。
【符号の説明】
１１，１１ａ，１１ｂ　　カテーテルの端部
１２，１２ａ，１２ｂ　　シリコンチューブ
１２１　　シリコンチューブの血液採取用端部
１３，１３ａ，１３ｂ　　コネクタ
１４　　ポンプ
２１　　血管クレンメ
２２　　重り
２３　　滑車
３１　　滑車
３２　　滑車支持部材
３３　　取付部
３４　　線状部材
３５　　滑車吊部材
３５２　　球体
３５３　　取付板
３５４　　軸
３５５　　回転アーム
３５６　　摺動部材
３５７　　レール
３６　　回動アーム
４１　　滑車吊具
５１　　アーム
５２　　摺動部
５３　　管部
５５　　二股部
６１　　飼育容器
６２　　給水容器
６４　　回転台
【図１】
2004041389.tif 000003
【図２】
2004041389.tif 000004
【図３】
2004041389.tif 000005
【図４】
2004041389.tif 000006
【図５】
2004041389.tif 000007
【図６】
2004041389.tif 000008